(57)【特許請求の範囲】
【請求項１】
複数種類の図柄を変動させる図柄変動ゲームで、遊技者に有利な大当たり遊技を付与する遊技機の制御に関わる制御回路基板をカバー部材とトレー部材とを組み合わせることにより収容する遊技機用の基板ケースにおいて、
前記カバー部材は、前記カバー部材と前記トレー部材とを組み合わせた状態における外周部よりも内側の位置に第１接続部を有し、前記トレー部材は、前記外周部より内側の位置に第２接続部を有し、前記第１接続部と前記第２接続部は、前記カバー部材と前記トレー部材とを組み合わせた状態において互いに接する位置に設けられ、互いに接続され、
前記カバー部材に設けられた被係合部と、前記トレー部材に設けられ、前記被係合部に係合する係合部と、を有し、前記係合部と前記被係合部は、前記カバー部材と前記トレー部材とを相対的に移動させることにより、前記係合部を前記被係合部に係合させ、前記第１接続部と前記第２接続部とが互いに接するように配置され、
前記カバー部材と前記トレー部材とは、前記第１接続部の基端と、前記第２接続部の先端とを互いに接し始め、前記互いに接したまま、前記第１接続部の基端と、前記第２接続部の基端とを相互に近づけ、最終的に、前記第１接続部の基端と、前記第２接続部の基端とが接し、前記第１接続部の先端と、前記第２接続部の先端とが接するように組み合わされ、
前記カバー部材及び／又は前記トレー部材は、前記第１接続部と前記第２接続部とを固着させるための接着剤を投入可能な投入口を有し、前記投入口が設けられる位置は、前記カバー部材と前記トレー部材とを組み合わせるときに、前記第２接続部の先端に接し始める前記第１接続部の基端の位置に対応していることを特徴とする遊技機用の基板ケース。
【請求項２】
前記第１接続部及び前記第２接続部の一方は、溝形断面形状の嵌合部を有し、他方は、前記カバー部材と前記トレー部材とを組み合わせるときに前記嵌合部に嵌め込まれる嵌入部を有することを特徴とする請求項１に記載の遊技機用の基板ケース。
【請求項３】
前記嵌合部の一部は、前記外周部の一部により形成されていることを特徴とする請求項２に記載の遊技機用の基板ケース。
【請求項４】
前記嵌合部の底部は、前記トレー部材の外壁により形成されていることを特徴とする請求項２又は請求項３に記載の遊技機用の基板ケース。
【請求項５】
前記制御回路基板の外縁部より大きく形成される前記外周部において、
前記第１接続部又は前記第２接続部の一方は、前記外周部の内面から前記カバー部材と前記トレー部材とを相対的に移動させる方向に対して反対の方向へ沿って延設される接合面を有し、
前記第１接続部又は前記第２接続部の他方は、前記制御回路基板の外縁部の位置近傍から前記カバー部材と前記トレー部材とを相対的に移動させる方向に対し同じ方向へ沿って延設される接合面を有し、
前記第１接続部の接合面、及び、前記第２接続部の接合面は、前記カバー部材と前記トレー部材とを相対的に移動させることにより、互いに接することを特徴とする請求項１から請求項４のいずれかに記載の遊技機用の基板ケース。
【請求項６】
前記カバー部材は、前記収容された制御回路基板のチェックサム出力端子を、前記基板ケース外部に露出させるための開口部を有することを特徴とする請求項１から請求項５のいずれかに記載の遊技機用の基板ケース。
【請求項７】
前記嵌合部の溝の深さ方向が、前記カバー部材と前記トレー部材とを相対的に移動させる方向と同じ方向に設定されることを特徴とする請求項２から請求項６のいずれかに記載の遊技機用の基板ケース。
【請求項８】
前記嵌入部の接合面に、前記投入口に対応する位置に設けられた導入溝を有し、前記導入溝は、一端が前記投入口に連続し、他端が前記接合面の下縁まで鉛直下方に沿って延ばされていることを特徴とする請求項２から請求項７のいずれかに記載の遊技機用の基板ケース。
【発明の詳細な説明】
【技術分野】
【０００１】
この発明は、複数種類の図柄を変動させる図柄変動ゲームで遊技者に有利な大当たり遊技が付与される遊技機の制御に関わる制御回路基板を収容する遊技機用の基板ケースに関する。
【背景技術】
【０００２】
パチンコ遊技機、スロットマシン等（以下、「遊技機」という場合がある）に関する制御は、制御動作を司るＣＰＵ、制御プログラムを記憶したＲＯＭ、及び遊技状況を記録するＲＡＭ等を含む制御回路基板によって実行される。制御回路基板は例えば、パチンコ遊技機では遊技盤の背面側に配設される専用の基板ケース内に収納されている。
【０００３】
ところで、かかる基板ケース内に収納された制御回路基板から遊技内容等に関する制御プログラムが記憶されたＲＯＭ等を取り外し、プログラムが異なるＲＯＭ等に交換することにより、遊技機の遊技内容を変更等する不正行為が問題となっている。
【０００４】
そこで、基板ケースのトレー部材とカバー部材とをネジ留めにより接続し（特許文献１）、また、接着剤により接続し（特許文献２）、基板ケースを閉鎖した状態に維持することが行われている。
【先行技術文献】
【特許文献】
【０００５】
【特許文献１】特開２００９−２８５３２８号公報
【特許文献２】特開平１１−３３１９１号公報
【発明の概要】
【発明が解決しようとする課題】
【０００６】
しかしながら特許文献１に記載の技術、或いは特許文献２に記載の技術は、接続する部分が基板ケースの外周部に設けられている。つまりネジ留め箇所に外部からアクセスし易い状態が形成されていることとなる。従って、基板ケースを開封するために、ネジ留め箇所を破壊することや、接着部分の接着剤を溶解することを容易に行うことができた。すなわち、従来の技術では不正行為を防止することが困難であった。
【０００７】
この発明は上記課題を解決するものであり、基板ケースの接続部（カバー部材とトレー部材の接続部）に対して基板ケース外からアクセスし難い構成を提供することを目的とする。
【課題を解決するための手段】
【０００８】
上記課題を解決するために、この発明の第１の形態は、複数種類の図柄を変動させる図柄変動ゲームで、遊技者に有利な大当たり遊技を付与する遊技機の制御に関わる制御回路基板をカバー部材とトレー部材とを組み合わせることにより収容する遊技機用の基板ケースにおいて、前記カバー部材は、前記カバー部材と前記トレー部材とを組み合わせた状態における外周部よりも内側の位置に第１接続部を有し、前記トレー部材は、前記外周部より内側の位置に第２接続部を有し、前記第１接続部と前記第２接続部は、前記カバー部材と前記トレー部材とを組み合わせた状態において互いに接する位置に設けられ、互いに接続され、前記カバー部材に設けられた被係合部と、前記トレー部材に設けられ、前記被係合部に係合する係合部と、を有し、前記係合部と前記被係合部は、前記カバー部材と前記トレー部材とを相対的に移動させることにより、前記係合部を前記被係合部に係合させ、前記第１接続部と前記第２接続部とが互いに接するように配置され、前記カバー部材と前記トレー部材とは、前記第１接続部の基端と、前記第２接続部の先端とを互いに接し始め、前記互いに接したまま、前記第１接続部の基端と、前記第２接続部の基端とを相互に近づけ、最終的に、前記第１接続部の基端と、前記第２接続部の基端とが接し、前記第１接続部の先端と、前記第２接続部の先端とが接するように組み合わされ、前記カバー部材及び／又は前記トレー部材は、前記第１接続部と前記第２接続部とを固着させるための接着剤を投入可能な投入口を有し、前記投入口が設けられる位置は、前記カバー部材と前記トレー部材とを組み合わせるときに、前記第２接続部の先端に接し始める前記第１接続部の基端の位置に対応していることを特徴とする。
また、第２の形態は、第１の形態に係る遊技機用の基板ケースであって、前記第１接続部及び前記第２接続部の一方は、溝形断面形状の嵌合部を有し、他方は、前記カバー部材と前記トレー部材とを組み合わせるときに前記嵌合部に嵌め込まれる嵌入部を有することを特徴とする。
また、第３の形態は、第２の形態に係る遊技機用の基板ケースであって、前記嵌合部の一部は、前記外周部の一部により形成されていることを特徴とする。
さらに、第４の形態は、第２または第３の形態に係る遊技機用の基板ケースであって、前記嵌合部の底部は、前記トレー部材の外壁により形成されていることを特徴とする。
さらに、第５の形態は、第１から第４のいずれかの形態に係る遊技機用の基板ケースであって、前記制御回路基板の外縁部より大きく形成される前記外周部において、前記第１接続部又は前記第２接続部の一方は、前記外周部の内面から前記カバー部材と前記トレー部材とを相対的に移動させる方向に対して反対の方向へ沿って延設される接合面を有し、前記第１接続部又は前記第２接続部の他方は、前記制御回路基板の外縁部の位置近傍から前記カバー部材と前記トレー部材とを相対的に移動させる方向に対し同じ方向へ沿って延設される接合面を有し、前記第１接続部の接合面、及び、前記第２接続部の接合面は、前記カバー部材と前記トレー部材とを相対的に移動させることにより、互いに接することを特徴とする。
さらに、第６の形態は、第１から第５のいずれかの形態に係る遊技機用の基板ケースであって、前記カバー部材は、前記収容された制御回路基板のチェックサム出力端子を、前記基板ケース外部に露出させるための開口部を有することを特徴とする。
さらに、第７の形態は、第２から第６のいずれかの形態に係る遊技機用の基板ケースであって前記嵌合部の溝の深さ方向が、前記カバー部材と前記トレー部材とを相対的に移動させる方向と同じ方向に設定されることを特徴とする。
さらに、第８の形態は、第２から第７のいずれかの形態に係る遊技機用の基板ケースであって、前記嵌入部の接合面に、前記投入口に対応する位置に設けられた導入溝を有し、前記導入溝は、一端が前記投入口に連続し、他端が前記接合面の下縁まで鉛直下方に沿って延ばされていることを特徴とする。
【発明の効果】
【０００９】
この発明によれば、基板ケースを構成するカバー部材とトレー部材とを組み合わせた状態で、互いに接する第１接続部及び第２接続部を、基板ケースの外周部より内側の位置にそれぞれ設けたので、第１接続部及び第２接続部にアクセスし難い構成を成している。従って基板ケース内の制御回路基板に対する不正行為を防止することが可能となる。
【図面の簡単な説明】
【００１０】
【図１】この発明の第１の実施形態に係るパチンコ遊技機の背面図である。
【図２】遊技盤の背面図である。
【図３】基板ケースの正面図である。
【図４】組み合わせる直前のカバー部材とトレー部材とを示す正面図である。
【図５】開いた状態にして、それらの内面を斜めから見たときのカバー部材及びトレー部材の斜視図である。
【図６】カバー部材及びトレー部材の各内面側を示す図である。
【図７】図３のＶＩＩ−ＶＩＩ線断面図である。
【図８】図３のＶＩＩＩ−ＶＩＩＩ線断面図である。
【図９】図３のＩＸ−ＩＸ線断面図である。
【図１０】基板ケースの一部を示す部分正面図である。
【図１１】図１０のＸＩ−ＸＩ線断面図である。
【図１２】嵌込み前の嵌合部と嵌入部とを示す断面図である。
【図１３】図１０のＸＩＩＩ−ＸＩＩＩ線断面図である。
【図１４】投入中の接着剤、及び、嵌合部と嵌入部とを示す断面図である。
【図１５】投入完了後の接着剤、及び、嵌合部と嵌入部とを示す断面図である。
【図１６】この発明の第２の実施形態に係る基板ケースの正面図である。
【図１７】組み合わせる直前のカバー部材とトレー部材とを示す正面図である。
【図１８】基板ケースの一部を示す部分正面図である。
【図１９】図１８のＸＩＸ−ＸＩＸ線断面図である。
【図２０】嵌込み前の嵌合部と嵌入部とを示す断面図である。
【図２１】この発明の第３の実施形態に係る基板ケースの部分断面図である。
【図２２】図２１のＸＸＩＩ−ＸＸＩＩ線断面図である。
【図２３】この発明の第４の実施形態に係る基板ケースの部分断面図である。
【発明を実施するための形態】
【００１１】
この発明に係る各種の実施形態について各図を参照して説明する。各種の実施形態に係る遊技機は、複数種類の図柄を変動させる図柄変動ゲームで、遊技者に有利な大当たり遊技を付与するものである。以下の実施形態では、先ず、遊技機の基本的構成について説明し、次に、遊技機の制御に関する制御回路基板を説明し、続いて、その制御回路基板を収容する基板ケースを説明する。
【００１２】
［第１の実施形態］
〈遊技機〉
第１の実施形態について、図１〜図１５を参照して説明する。図１は、パチンコ遊技機１０の背面図である。なお、この実施形態では、遊技球としてパチンコ球を用いて遊技を行うパチンコ遊技機を代表して説明するが、例えば、遊技者の操作で図柄の変更を開始させ、図柄の変動を停止させた際の図柄組み合わせに応じて遊技者に賞球或いはメダルを付与する遊技が行われる回胴式の遊技機を含む各種の遊技機であっても良い。
【００１３】
図１に示すように、上枠部材（図示省略）の左右幅の略全幅に亘って、外部球供給設備（図示省略）から供給されたパチンコ球を貯留する球タンク１２７が設けられている。下枠部材１２２の裏側には、上下の球受け皿（図示省略）に連通する球供給路及び球回収樋に連通する球排出路がそれぞれ形成されたセット部材１２８が配置されている。球タンク１２７及びセット部材とは、各部材１２７、１２８における左枠部材（図示省略）側の端部間に架設された球通路ユニット１２９を介して連通接続されており、球通路ユニット１２９に配設された球払出装置１２９ａの駆動により球タンク１２７に供給されたパチンコ球を上下の球受け皿（図示省略）へ給出するように構成されている。このセット部材１２８には、パチンコ遊技機１０の電源制御を行う電源装置２１、球通路ユニット１２９に配設した球払出装置１２９ａを駆動制御する払出し制御装置２２、打球発射装置（図示省略）を駆動制御する発射制御装置２３、外部端末に接続されるインターフェース基板２４等が配置されている。
【００１４】
なお、これらの各装置２１、２２、２３、２４は、遊技盤２０ａの裏側に配設される主制御装置２０に配線接続され、主制御装置２０からの制御信号に基づいて所定の制御を実行するようになっている。主制御装置２０、電源装置２１、払出し制御装置２２、発射制御装置２３、インターフェース基板２４を図１に示す。
【００１５】
（遊技盤）
次に、遊技盤２０ａについて、図１及び図２を参照して説明する。図２は遊技盤の背面図である。遊技盤２０ａは、前面側に配された透明板（図示省略）と、透明板の後面に組み付けられて図柄表示装置（図示省略）が着脱可能に配設される裏ユニット２０ｂとから構成され、裏ユニット２０ｂに形成された前後に開口する開口部を介して図柄表示装置の表示面を前面側から視認し得るように構成されている。
【００１６】
透明板の前面にはレール（図示省略）によりパチンコ球が流下可能な遊技領域が画成され、打球発射装置（図示省略）から発射されたパチンコ球が遊技領域内に打ち出されるようになっている。透明板の下方位置には、遊技領域を流下するパチンコ球が入賞可能な始動入賞装置や特別入賞装置が配置されており、始動入賞装置にパチンコ球が入賞することで、図柄表示装置において図柄変動ゲームが展開され、図柄変動ゲームの結果、図柄表示装置に所定の図柄組み合わせで図柄が停止表示されると、特別入賞装置の入賞口が開放して所謂大当たりが発生し、多数の賞球を獲得し得るように構成されている。
【００１７】
裏ユニット２０ｂは設置部材（図示省略）を有し、設置部材の後面には、主制御装置２０、表示制御装置２５、統括制御装置２７や発光装置２８、その他の各種電機部品が配線接続されている。主制御装置２０は、設置部材の裏側に配設された主基板ベース（図示省略）に着脱可能に設置されている。
【００１８】
主制御装置２０、表示制御装置２５、及び、統括制御装置２７の各装置は、主制御回路基板、図柄表示基板、及び、サブ統括制御回路基板の各基板を有している。
【００１９】
（制御回路基板）
各基板のうちで、主制御回路基板は、長方形の板状体であって、所要の回路パターンが形成されていると共に、マイクロコンピュータ（ＣＰＵ、ＲＯＭ３２及びＲＡＭ（ワンチップ））の電子部品及び全部で６個のコネクタソケット３１が表面に設置されている。コネクタソケット３１には、各種装置や他の制御回路基板に接続する配線コネクタが接続される。
【００２０】
６個のコネクタソケットうちの１つはチェックサム出力端子であり、このチェックサム出力端子を用いて主制御回路基板に実装されているマイクロコンピュータが正規のものであるかどうかを判定することができる。すなわち、チェックサム出力端子はマイクロコンピュータのデータを読み出すために設けられた外部との情報通信用の端子である。チェックサム出力端子を介して検査装置が接続される。このチェックサム出力端子に検査装置が接続された場合、所定の通信開始プロトコルを経て検査装置固有のコードが検査装置からマイクロコンピュータに送られ、このコードに基づいてマイクロコンピュータは接続されている検査装置が正規のものであるかどうかを判定する。検査装置が正規のものであると判定されると、マイクロコンピュータは以降の通信続行を許可し、検査装置側からの出力要求に基づいてマイクロコンピュータ固有のＩＤ、プログラムの内容を識別するためのチェックサム等を出力する。
【００２１】
主制御回路基板は、パチンコ遊技機１０全体を制御するための各種処理を実行し、該処理結果に応じて遊技を制御するための各種の制御指令としての制御信号（制御コマンド）を演算処理し、該制御信号（制御コマンド）を出力する。主制御回路基板は、ＲＯＭに記憶した制御プログラムの処理をマイクロコンピュータを利用して実行することで、たとえば、図柄変動ゲームにおける大当たりを含む抽選を行い、抽選結果に基づく制御信号を各種装置や他の制御回路基板に出力する。この主制御回路基板が、この発明の「制御回路基板」の一例である。
【００２２】
〈基板ケース〉
次に、制御回路基板３０をカバー部材５０とトレー部材６０とを組み合わせることにより収容する基板ケース４０について、図３〜図１５を参照して説明する。図３は基板ケース４０の正面図、図４は組み合わせる直前のカバー部材５０とトレー部材６０とを示す正面図、図５は、開いた状態にして、それらの内面を斜めから見たときのカバー部材５０及びトレー部材６０の斜視図、図６は、カバー部材５０及びトレー部材６０の各内面側を示す図である。
【００２３】
以下の基板ケースの説明において、制御回路基板３０の表裏方向をＺ軸とし、制御回路基板３０の裏面が向いた方向をＺ１方向とし、制御回路基板３０の表面が向いた方向をＺ２方向とした。Ｚ軸方向に直交する軸をＸ軸とし、Ｚ軸方向及びＸ軸に対し直交する軸をＹ軸とした。また、この実施形態では、Ｘ軸を水平軸とし、Ｙ軸を垂直軸とした。なお、Ｘ軸及びＹ軸はＺ軸方向に対し直交していれば良く。例えば、Ｘ軸を垂直軸とし、Ｙ軸を水平軸としても良い。
【００２４】
また、図１に示す遊技機１０の背面図において、基板ケース４０の背面側が表れているが、その基板ケース４０の背面側が最もその基板ケース４０の特徴を表している面であるため、図３においては、基板ケース４０の背面側を正面として示している。図３では、紙面の下方がＺ１方向に相当し、紙面の上方がＺ２方向に相当している。制御回路基板３０の表面に実装されるＲＯＭ３２を図３に破線で示す。また、カバー部材５０及びトレー部材６０を図５及び図６に示す。
【００２５】
基板ケース４０は、制御回路基板３０の表面を覆うように形成されたカバー部材５０と、制御回路基板３０の裏面を覆うように形成されたトレー部材６０とを備えている。
【００２６】
カバー部材５０とトレー部材６０とは、制御回路基板３０を内部に収容するように組み合わされている。カバー部材５０の周縁部５０１には６個の開口部５０２がそれぞれ形成されている。開口部５０２が形成される周縁部５０１については後述する。６個の開口部５０２のうちの一つが、前述したチェックサム出力端子（コネクタソケット３１）を外部に露出させるための開口部となっている。それにより、露出させたコネクタソケット３１に検査装置を接続することができ、基板ケース４０内部に設けられたマイクロコンピュータが正規のものであるかどうかを、基板ケース４０を開封することなく判定することが可能となる。
【００２７】
カバー部材５０とトレー部材６０とは、Ｚ軸方向で組み合わされている。カバー部材５０とトレー部材６０とは、制御回路基板３０の表面に実装されたＲＯＭ、ＣＰＵなどの素子、また制御回路基板３０の裏側の回路パターン（接続パターン）などを外部から容易に透過可能なように高い透明性を有するポリカーボネート（Ｐｏｌｙｃａｒｏｂｏｎａｔｅ）樹脂により形成されている。
【００２８】
カバー部材５０は略方形状を成し、一対の対向辺縁部、及び、該対向辺縁部に直交する他の一対の対向辺縁部を有する。同様に、トレー部材６０は略方形状を成し、一対の対向辺縁部、及び、該対向辺縁部に直交する他の一対の対向辺縁部を有する。
【００２９】
（カバー部材）
次に、カバー部材５０について、図３〜図６を参照して説明する。カバー部材５０は箱形状に形成されている。基板ケース４０を水平面で破断し、その破断面を上方から見た図６では、箱形状のカバー部材５０の開口が上を向いている。カバー部材５０は、箱形状では底部に相当する天井部５１、並びに、天井部５１に続き略直角方向（Ｚ１方向）又は傾斜角方向に延ばされる周壁、及び、周壁に続き平坦部５０５を介して略直角方向に延ばされ、或いは、平坦部５０５を介さずに略直角方向に延ばされる周縁部５０１を備えている。カバー部材５０の天井部５１は、制御回路基板３０の表面に接触しないように形成されると共に、制御回路基板３０の表面に実装されたＣＰＵ（図示省略）などの素子に接触しないように形成されている。
【００３０】
また、カバー部材５０の天井部５１には、透視窓５１１が形成されている。透視窓５１１は、天井部５１を制御回路基板３０のＲＯＭ３２の方へ凹入することにより、形成されている。
【００３１】
透視窓５１１の底部５１２は、略矩形状の平面で、ＲＯＭの表面（上面）とわずかな隙間（１ミリから３ミリ程度の隙間）で向き合うように形成され、ＲＯＭの表面に記載された表記部の標記内容が視認し易いように構成され、また、ＲＯＭの着脱を制止するように構成されている。
【００３２】
カバー部材５０の周壁は、Ｚ軸方向で約２０から３０ミリの高さ（天井部５１から周縁部５０１までの高低差）を有する壁であって、上側壁５９、下側壁５３及び両側壁５４、５５を有している。また、カバー部材５０の周縁部５０１は、カバー部材５０の上縁部であり、上側壁５９をＺ１方向に延長した側縁部５２、カバー部材５０の下縁部である側縁部５６、及び、両端縁部５７、５８を有している。カバー部材５０の側縁部５２、側縁部５６、及び、両端縁部５７、５８は、各フランジ５０３を有している。各フランジ５０３は、Ｚ軸方向に約１３ミリ〜約１８ミリの長さを有し、Ｚ軸方向で同じ位置に揃った先端部５０４を有している。
【００３３】
前述したように、周縁部５０１は、周壁に続き平坦部５０５を介して略直角方向（Ｚ１方向）に延ばされ、或いは、平坦部５０５を介さずに略直角方向に延ばされている。すなわち、周縁部５０１の中で、側縁部５２の一部が、上側壁５９の端部から平坦部５０５を介さずにＺ１方向に延設され、側縁部５２の他の一部が、上側壁５９の端部から平坦部５０５を介してＺ１方向に延設されている。この側縁部５２に含まれる平坦部５０５に４個の開口部５０２が形成されている。周縁部５０１の中で、側縁部５６の一部が、下側壁５３の端部から平坦部５０５を介さずにＺ１方向へ延設され、側縁部５６の他の一部が、下側壁５３の端部から平坦部５０５を介してＺ１方向へ延設されている。この側縁部５６に含まれる平坦部５０５に２個の開口部５０２が形成されている。さらに、周縁部５０１の中で、端縁部５７が、側壁５４の端部から平坦部５０５を介さずにＺ１方向へ延設されている。さらに、周縁部５０１の中で、端縁部５８が、側壁５５の端部から平坦部５０５を介さずにＺ１方向へ延設されている。
【００３４】
（トレー部材）
次に、トレー部材６０について図３〜図６を参照して説明する。トレー部材６０は、底の浅い皿形状に形成されている。トレー部材６０は、底部６１及び周縁部６２を有している。トレー部材６０の周縁部６２は、Ｘ軸方向に沿うように形成された両側縁部６３、６４、及び、Ｙ軸方向に沿うように形成された両端縁部６５、６６を有している。
【００３５】
カバー部材５０とトレー部材６０とを組み合わせるときの前作業として、カバー部材５０の天井部５１とトレー部材６０の底部６１とを対面させて、カバー部材５０をＺ１方向でトレー部材６０に嵌め合わせる。次に、組み合わせるときの後作業として、カバー部材５０をトレー部材６０に対しＸ１方向に相対移動する。以下の説明において、「カバー部材５０とトレー部材６０とを組み合わせるとき」とは、組み合わせるときの前作業及び後作業をまとめていう場合と、組み合わせるときの前作業又は後作業のいずれか一方のみをいう場合とがある。
【００３６】
これに対し、カバー部材５０とトレー部材６０とを外すときの前作業として、カバー部材５０をトレー部材６０に対しＸ２方向に相対移動する。次に、外すときの後作業として、カバー部材５０をトレー部材６０に対してＺ２方向に相対移動する。以下の説明において、「カバー部材５０とトレー部材６０とを外すとき」とは、外すときの前作業及び後作業をまとめていう場合と、外すときの前作業又は後作業のいずれか一方のみをいう場合とがある。
【００３７】
トレー部材６０の両側縁部６３、６４は、３２０〜３３０ミリのＸ軸方向の全長、及び、約１５ミリのＺ軸方向の高さを有する壁状に形成され、カバー部材５０をＺ１方向で嵌め合わせるときに、及び、カバー部材５０をＸ１方向に相対移動するときに、カバー部材５０の側縁部５２、５６を案内する案内溝部６３０を有している。
【００３８】
（カバー部材とトレー部材の組み合わせ）
次に、カバー部材５０とトレー部材６０とを組み合わせるための構成について説明する。その組み合わせるための構成としては、カバー部材５０に設けられる被係合部５２１とトレー部材６０に設けられる係合部６３１とを含み、係合部６３１を被係合部５２１に係合又は離脱させるように構成されている。
【００３９】
（カバー部材の被係合部）
先ず、カバー部材５０に設けられる被係合部５２１について、図５〜図８を参照して説明する。図７は図３のＶＩＩ−ＶＩＩ線断面図、図８は図３のＶＩＩＩ−ＶＩＩＩ線断面図である。
【００４０】
カバー部材５０の側縁部５２、５６の端縁に所定の距離を隔てて４つずつの被係合部５２１が設けられている。各被係合部５２１は、Ｚ軸方向に幅約３ミリで、Ｘ軸方向に長さ約１５ミリの長片状に形成されている。被係合部５２１は、略矩形状の溝（Ｘ軸方向で約３７ミリ溝幅、Ｚ軸方向で約６ミリの奥行き）の溝口を約２２ミリ（３７ミリ−１５ミリ）に狭めている。
【００４１】
（トレー部材の係合部）
次に、トレー部材６０に設けられる係合部６３１について図５〜図８を参照して説明する。
【００４２】
トレー部材６０の周縁部６２は、全部で８つの係合部６３１を有している。カバー部材５０の一対の対向辺縁部の一方である側縁部５２を案内するためのトレー部材６０の案内溝部６３０を図５及び図８に示す。同様に、前記一対の対向辺縁部の他方である側縁部５６を案内するための案内溝部６３０がトレー部材６０に設けられている。各４つずつの係合部６３１が、トレー部材６０の他の一対の対向辺縁部である側縁部６３及び側縁部６４に設けられている。
【００４３】
各被係合部５２１に対応して４つずつの係合部６３１が設けられたトレー部材６０の側縁部６３、６４は、約２．５ミリの溝幅をもつ案内溝部６３０を有している。案内溝部６３０は、その溝内にカバー部材５０の側縁部５２を嵌め込むことにより、当該側縁部５２をＸ軸方向及びＺ軸方向に案内する。係合部６３１は、案内溝部６３０に架け渡されるように形成され、Ｚ軸方向で約２ミリの厚み、Ｘ軸方向で約６ミリの長さを有する。
【００４４】
各係合部６３１は、案内溝部６３０を溝壁とし、案内溝部６３０の底部を溝底壁６３３とする係合溝６３４である。係合溝６３４は、Ｙ軸方向に約２．５ミリの溝幅、Ｚ軸方向に約３ミリの溝高さの溝口６３５を有する。
【００４５】
（係合部を被係合部に係合させる構成）
次に、係合部６３１を被係合部５２１に係合させる構成について、図３及び図４を参照して説明する。
【００４６】
カバー部材５０とトレー部材６０とを組み合わせるときの前作業では、カバー部材５０の天井部５１とトレー部材６０の底部６１とを対面させ、互いにＺ１方向に近づけることにより、カバー部材５０の側縁部５２、５６を、案内溝部６３０に嵌め込み、隣接する係合部６３１の間に各被係合部５２１を位置させる（図４に示す状態）。カバー部材５０とトレー部材６０とを組み合わせるときの後作業では、カバー部材５０をトレー部材６０に対しＸ１方向に相対移動させ、係合部６３１を被係合部５２１に係合させる。それにより、カバー部材５０とトレー部材６０とを組み合わせた状態となる（図３に示す状態）。この状態では、係合部６３１が被係合部５２１に係合しているため、カバー部材５０とトレー部材６０とを互いにＺ２方向に外せない。
【００４７】
係合部６３１を被係合部５２１に係合させることにより、カバー部材５０の側縁部５２、５６と、トレー部材６０の側縁部６３、６４とを閉じさせて、側縁部５２、５６と側縁部６３、６４との間に隙間を生じさせず、基板ケース４０内部への不正アクセスを防止する構造となっている。
【００４８】
（係合部を被係合部から外す構成）
カバー部材５０とトレー部材６０とを組み合わせた状態（図３に示す状態）において、カバー部材５０とトレー部材とを外すときの前作業では、カバー部材５０をトレー部材に対しＸ２方向に相対移動させて、隣接する係合部６３１の間に各被係合部５２１を位置させるようにする（図４に示す状態）。カバー部材５０とトレー部材とを外すときの後作業では、係合部６３１を被係合部５２１から外す。この外すときの前作業及び後作業により、カバー部材５０をトレー部材に対しＺ２方向に外すことが可能となる。
【００４９】
なお、カバー部材５０とトレー部材６０とを組み合わせた状態で、カバー部材５０の一部とトレー部材６０の一部とを互いに接続させることにより、カバー部材５０をトレー部材６０に対しＸ２方向に相対移動するのを阻止する構造（接続構造）の詳細については、後述する。
【００５０】
（カンヌキ構造）
次に、カンヌキ構造について図３〜図６を参照して説明する。基板ケース４０内部への不正アクセスを防止するために、カバー部材５０の端縁部と、トレー部材６０の端縁部とを閉じる構造として、カンヌキ構造が設けられている。
【００５１】
カンヌキ構造は、カバー部材５０の端縁部５７に設けられた連通穴５７１と、トレー部材６０の端縁部６５に設けられたトレー側舌状片６５１とを有している。
【００５２】
カバー部材５０とトレー部材６０とを組み合わせるときの前作業から後作業に移る前（図４に示す状態）では、図４に破線で示すトレー側舌状片６５１は連通穴５７１に通っていない。カバー部材５０とトレー部材６０とを組み合わせるときの後作業で、カバー部材５０をトレー部材６０に対しＸ１方向に相対移動させると、トレー側舌状片６５１が連通穴５７１に通ってカンヌキの構造となる（図３に示す状態）。
【００５３】
このカンヌキ構造により、カバー部材５０の端縁部５７と、トレー部材６０の端縁部６５との間に隙間が生じるのを防止することができる。また、図３に示す状態では、カバー部材５０をトレー部材６０に対してＺ２方向へ外すことができない。
【００５４】
（封印機構）
次に、カバー部材５０とトレー部材６０とを封印するための機構について説明する。
【００５５】
カバー部材５０の端縁部にカバー側平面部（図示省略）が形成され、トレー部材６０の端縁部にトレー側平面部（図示省略）が形成されている。カバー側平面部とトレー側平面部とは、カバー部材５０とトレー部材６０とを組み合わせた状態で、互いに滑らかに連なって、Ｘ−Ｙ平面を形成するように構成されている。カバー側平面部とトレー側平面部との一方から他方に掛け渡すように、シート状に形成されたＩＣタグ（図示省略）が貼り付けられている。ＩＣタグを設けたことにより、セキュリティ強化を図ることができる。トレー部材６０からカバー部材５０を外す際には、ＩＣタグを破る必要がある。したがって、破損されたＩＣタグにより、基板ケース４０の開封の履歴を残すことが可能となる。
【００５６】
さらに、カバー側平面部及びトレー側平面部にはキャップ部材９５が嵌め込まれている。キャップ部材９５により、カバー側平面部及びトレー側平面部上のＩＣタグが外部から覆われている。
【００５７】
〈接続構造〉
次に、接続構造について、図３、図９〜図１５を参照して説明する。図９は図３のＩＸ−ＩＸ線断面図、図１０は基板ケースの一部を示す部分正面図、図１１は図１０のＸＩ−ＸＩ線断面図、図１２は嵌込み前の嵌合部と嵌入部とを示す断面図、図１３は図１０のＸＩＩＩ−ＸＩＩＩ線断面、図１４は投入中の接着剤、及び、嵌合部と嵌入部とを示す断面図、図１５は投入完了後の接着剤、及び、嵌合部と嵌入部とを示す断面図である。
【００５８】
接続構造は、カバー部材５０の一部である第１接続部７１とトレー部材６０の一部である第２接続部８１とを互いに接続させることにより、カバー部材５０をトレー部材６０に対しＸ２方向に相対移動するのを阻止するものである。
【００５９】
（第１接続部）
先ず、第１接続部について図９〜図１５を参照して説明する。第１接続部７１は、カバー部材５０とトレー部材６０とを組み合わせた状態における外周部よりも基板ケース４０内部側の位置に設けられている。
【００６０】
ここで、「カバー部材５０とトレー部材６０とを組み合わせた状態」とは、組み合わせの前作業及び後作業を行うことにより、カバー部材５０とトレー部材６０との組み合わせを完了した状態（図３に示す状態）をいう。また、「外周部」とは、その組み合わせた状態において、基板ケース４０の外形を構成する面をいう。例えば、図３に示す基板ケース４０において、「外周部」とは、カバー部材５０の天井部５１、上側壁５９、下側壁５３、両側壁５４、５５、平坦部５０５、側縁部５６、端縁部５７、５８、及び、トレー部材６０の底部６１、周縁部６２（側縁部６３、６４、端縁部６５、６６）等、外周部の個々の構成によって囲まれた領域である。また、「外周部の一部」とは、その構成する面の一部をいう。たとえば、図３に示す基板ケース４０の右側端部において、カバー部材５０の端縁部５８に外側から接しているトレー部材６０の端縁部６６がこの発明の「外周部の一部」の一例である。この実施形態では、トレー部材６０の端縁部６６よりも基板ケース４０の内部側に第１接続部７１が設けられている。
【００６１】
また、「外周部より内側」とは、外周部によって基板ケースが内部と外部とに仕切られるとき、その内部側をいう。したがって、その内部のいずれかの位置に、第１接続部７１が設けられる。
【００６２】
例えば、第１接続部７１及び第２接続部８１は、制御回路基板３０の外縁部とその外縁部より大きく形成される外周部との間の位置に設けられる。第１接続部７１又は第２接続部８１の一方は、制御回路基板３０の外縁部の位置近傍からカバー部材５０とトレー部材６０とを相対的に移動させる方向（Ｘ１方向）と同じ方向へ沿って延設される接合面を有する。他方の接続部は、外周部の内面からＸ１方向に対して反対の方向（Ｘ２方向）へ沿って延設される接合面を有する。そして、カバー部材５０とトレー部材６０とを相対的に移動させることにより、第１接続部７１の接合面、及び、第２接続部８１の接合面は、互いに接することとなる。
【００６３】
しかし、周縁部と制御回路基板３０の外縁部との間に十分なスペースを設けている基板ケース４０は希である。そこで、この実施形態では、スペースを確保するために、外周部であるトレー部材６０の端縁部６６には、制御回路基板３０の外縁部の位置から外方（図５に示すＸ１方向）に張り出すように張出壁６６１が設けられている。第１接続部７１は、制御回路基板３０と張出壁６６１との間の位置に設けられる。同じく、カバー部材５０の端縁部５８には、外方（図５に示すＸ１方向）へ突出するように張出縁部５８１が設けられている。張出縁部５８１が張出壁６６１の内面に沿うように形成されている。カバー部材５０とトレー部材６０とを組み合わせた状態で、張出縁部５８１が張出壁６６１に嵌め込まれる（図３参照）。
【００６４】
第１接続部７１は張出縁部５８１の内面（基板ケース４０の内部側の面）に設けられている。第１接続部７１は、特別な形状に限定するものではないが、たとえば、板状に形成され、後述する第２接続部８１と接する面（以下、「第１接続部の接合面」という。）７２１がＸ軸に沿うように形成されている。なお、第１接続部７１の接合面は、Ｙ軸に沿うように形成されても良く、また、Ｘ軸に沿うような形状からＹ軸に沿うような形状までの間の傾斜面に形成されても良い。
【００６５】
（第２接続部）
次に、第２接続部８１について図９〜図１５を参照して説明する。第２接続部８１は、外周部よりも基板ケース４０内部側のいずれかの位置に設けられていれば良い。この実施形態では、第２接続部８１は、「外周部の一部」である張出壁６６１よりも基板ケース４０内部側の位置に設けられている。第２接続部８１は、特別な形状に限定するものではないが、たとえば、第１接続部７１と同様に、板状に形成され、前述した第１接続部７１と接する面（以下、「第２接続部の接合面」という。）８２１がＸ軸又に沿うように形成されている。なお、第２接続部８１と同様に、第２接続部８１の接合面は、Ｙ軸に沿うように形成されても良く、また、Ｘ軸に沿うような形状からＹ軸に沿うような形状までの傾斜面に形成されても良い。以下の説明で、「接合面」というときは、第１接続部７１の接合面７２１、及び、第２接続部８１の接合面８２１の両方をいう場合がある。
【００６６】
（第１接続部と第２接続部とを互いに接続させる構造）
第１接続部７１と第２接続部８１とは、カバー部材５０とトレー部材６０とを組み合わせた状態において、Ｙ軸方向で互いに接する位置に設けられている。ここで、「互いに接する」とは、互いに接触していること、及び、互いにわずかな隙間をもって対向していることを含む。なお、接合面７２１、８２１がＹ軸に沿うように形成された場合は、第１接続部７１及び第２接続部８１は、カバー部材５０とトレー部材６０とを組み合わせた状態において、Ｘ軸方向で互いに接する位置に設けられることとなる。
【００６７】
（接着剤）
第１接続部７１と第２接続部８１とを接続する手段としては、カバー部材５０とトレー部材６０とを組み合わせた状態（図３に示す状態）で、カバー部材５０をトレー部材６０に対しＸ２方向に相対移動をさせるとき、第１接続部７１と第２接続部８１とを互いに固着することにより、そのＸ２方向の相対移動をさせなくする手段であれば良い。たとえば、接合面７２１、８２１を接着剤を用いて固着しても良く、接着剤を用いずに、接合面７２１、８２１を電子ビーム等で溶着させても良い。
【００６８】
接着剤を用いる場合には、接合面７２１、８２を洗浄し、接合面７２１、８２の油類を取り除き、その後、接合面７２１、８２１に接着剤を塗り、カバー部材５０とトレー部材６０とを組み合わせれば良い。接合面７２１、８２１の油類を取り除くことにより、接着強さの低下を防止することができる。
【００６９】
また、接合面７２１、８２１を接着剤により固着した後に、カバー部材５０をトレー部材６０に対してＸ２方向に相対移動させようとすると、接合面７２１、８２１には剪断荷重（接合面の形状によっては引っ張り荷重の場合もある）がかかり、接合面７２１、８２１が変形するおそれがある。変形により応力集中が発生すると、接着強さを低下させる要因となる。そこで、接合面を７２１、８２１変形させないような手段を設けることがより好ましい。剪断荷重等によっても接合面７２１、８２１を変形させないような手段については後述する。
【００７０】
さらに、接着強さは、応力集中等の問題が生じなければ、接合面積に比例するので、接合面積が広い方がより好ましい。接合面積を広くした第１接続部７１と第２接続部８１の詳細については後述する。
【００７１】
接着剤としては、たとえば、前述した速乾性の接着剤の他に、アクリレート系の接着剤、フェノール樹脂系の接着剤、エポキシ系の接着剤が用いられる。
【００７２】
（投入口）
次に、投入口について、図３及び図１０〜図１５を参照して説明する。接着剤を用いる場合に、カバー部材５０とトレー部材６０とを組み合わせる前の段階で、接合面７２１、８２１に接着剤を塗るようにしても良いが、速乾性の接着剤であると、カバー部材５０とトレー部材６０とを組み合わせた状態（図３及び図１３に示す状態）になるまでに、乾燥が進んで、十分な接着強さを得られない場合がある。そのような場合に、カバー部材５０とトレー部材６０とを組み合わせた状態で、接合面７２１、８２１に接着剤を投入する。そのために、カバー部材５０の張出縁部５８１には、接合面に接着剤を投入するための投入口９１が設けられる。投入口９１から投入された接着剤が７２１、８２１接合面との間の隙間に浸透していく様子を図１４及び図１５に示す。
【００７３】
カバー部材５０とトレー部材６０とを組み合わせた状態で、接合面７２１、８２１のＸ軸方向の中央部の位置に対応して、投入口９１が設けられている（図１０〜図１２参照）。なお、図１２は、カバー部材５０とトレー部材６０とを組み合わせるときの前作業から後作業へ移る前の状態（図４に示す状態）における投入口９１を示す。
【００７４】
カバー部材５０とトレー部材６０とを組み合わせた状態で、投入口９１から接着剤を投入すると、投入された接着剤が、主に、毛細管現象により、接合面７２１、８２１の中央部からＸ軸方向の両側に浸透していき、接着された部分の面積（以下、「接着面積」という。）が拡大し、それに応じて、接着強さが増す。
【００７５】
以上のように、カバー部材５０とトレー部材６０とを組み合わせる作業において、係合部６３１を被係合部５２１に係合させ、また、トレー側舌状片６５１をカバー部材５０の連通穴５７１に通し（カンヌキ構造）、さらに、カバー部材５０とトレー部材６０とを封印し、さらに、接合面７２１、８２１を接着剤により接続する。
【００７６】
接合面７２１、８２１を接着剤で接続することにより、カバー部材５０をトレー部材６０に対しＸ２方向に相対移動するのを阻止することが可能となる。その相対移動を阻止することにより、係合部６３１を被係合部５２１に係合させたままであるため、また、トレー側舌状片６５１をカバー部材５０の連通穴５７１に通したままであるため、カバー部材５０をトレー部材６０に対してＺ２方向に外すことができない。カバー部材５０とトレー部材６０とを組み合わせ、さらに、接合面７２１、８２１を接着剤で接続することにより、制御回路基板３０を封印した状態（図３に示す状態）に維持することができる。
【００７７】
（嵌合部、嵌入部、リブ部材）
次に、剪断荷重等によっても接合面７２１、８２１を変形させないための手段について、図９及び図１５を参照して説明する。その手段の一例としては、接合面７２１、８２１を背後から支えて、接合面７２１、８２１の変形を防止する構造を用いる。
【００７８】
第２接続部８１は、溝形断面形状の嵌合部８２を有し、第１接続部７１は、カバー部材５０とトレー部材６０とを組み合わせるときに、その嵌合部８２に嵌め込まれる嵌入部７２を有している。嵌合部８２の両溝壁８２０、８２０のいずれか一方が第２接続部８１の接合面８２１となり、その嵌合部８２の溝壁８２０に接する嵌入部７２の一方の面が第１接続部７１の接合面７２１となる。嵌合部８２の他方の溝壁８２０が、嵌入部７２の他方の面（接合面７２１とは反対側の面）に沿って形成されることにより、嵌入部７２を背後から支えるようになっている。
【００７９】
この実施形態では、嵌合部８２の一部が外周部の一部により形成されている。ここで、嵌合部８２の一部とは、嵌合部８２の溝形断面形状を構成する部位をいう。ここでの嵌合部８２の他方の溝壁８２０では、嵌合部８２の一部の一例である。嵌合部８２の他方の溝壁８２０が、外周部の一部であるトレー部材６０の張出壁６６１により形成されている。嵌合部８２の一部として外周部の一部（張出壁６６１）を用いることで、張出壁６６１の内部スペースに複数の嵌合部８２を有効に配置することができる。
【００８０】
また、この実施形態では、他方の溝壁８２０を除く嵌合部８２は、トレー部材６０の張出壁６６１の内周面から延出されたリブ部材９２と一体的に形成されている。
【００８１】
嵌合部８２の溝の深さ方向、及び、嵌入部７２が延設される方向は、係合部６３１を被係合部５２１に相対的に係合又は離脱させるときのＸ軸方向と同じである。すなわち、係合部６３１を被係合部５２１に相対的にＸ１方向に係合させると、嵌入部７２が嵌合部８２の両溝壁８２０、８２０の間に嵌め込まれる。
【００８２】
この接合面７２１、８２１に剪断荷重等がかかると、接合面７２１、８２１を変形（反りや曲がり）させようとするが、嵌合部８２の他方の溝壁８２０が、嵌入部７２を背後から支えることにより、第１接続部７１の接合面７２１の変形を防止し、また、リブ部材９２が嵌合部８２自体を支えることにより、第２接続部８１の接合面８２１の変形を防止するため、しいては、接着面積を減少させることがなく、応力集中を生じさせず、接着強さを低下させない。
【００８３】
剪断荷重等によっても接合面７２１、８２１を変形させないための手段の他の例としては、剪断荷重等により接合面７２１、８２１に係る剪断応力等を小さくする構造を用いる。
【００８４】
同じ剪断荷重等がかかるとき、それを受ける接着面を広くすれば、それに応じて、剪断応力を小さくすることができる。そこで、嵌入部７２及び嵌合部８２をそれぞれ複数設ける。それにより、接合面７２１、８２１を複数倍に広くすることができ、しいては、接着面積を広くすることができる。嵌入部７２及び嵌合部８２を含む組の二つがＹ軸方向に並ぶように設けられている（図１０参照）。なお、これらの組は、Ｙ軸方向にある程度離して設けても良く、Ｘ軸方向に並べて設けても良い。
【００８５】
（基板ケースの組み付け作業）
次に、制御回路基板３０を封印した基板ケース４０を機本体１１に組み付ける作業を説明する。
【００８６】
カバー部材５０の天井部５１を手前側にして、基板ケース４０を裏ユニット２０ｂに設けられた主基板ベース（図示省略）に装着させる。
【００８７】
（制御回路基板の点検作業）
次に、制御回路基板３０を点検する作業について説明する。制御回路基板３０の点検作業を行う時は、先ず、基板ケースが設けられた遊技機を遊技場に搬入し、遊技場内の遊技機島に設置する時、及び、遊技場に設置した後、定期的又は非定期的に行われる遊技機検査時を含む。
【００８８】
制御回路基板３０の点検作業では、チェックサム出力端子であるコネクタソケット３１に検査装置を接続する。基板ケース４０内部に設けられたマイクロコンピュータ（制御回路基板３０を含む）が正規のものであるかどうかを判定する。このとき、コネクタソケット３１が開口部５０２を通して外部に露出しているので、コネクタソケット３１に検査装置を接続して、マイクロコンピュータの正規判定をすることが可能となる。したがって、制御回路基板３０の点検作業では、基板ケース４０を開封する必要がなく、また、基板ケース４０をパチンコ遊技機１０の裏ユニット２０ｂから外す必要もない。
【００８９】
［第２の実施形態］
次に、第２実施形態に係る基板ケースについて図１６〜図２０を参照して説明する。図１６は、基板ケースの正面図、図１７は、組み合わせる直前のカバー部材とトレー部材とを示す正面図、図１８は基板ケースの一部を示す部分正面図、図１９は図１８のＸＩＸ−ＸＩＸ線断面図、図２０は嵌込み前の嵌合部と嵌入部とを示す断面図である。なお、この基板ケース４０は、その接続構造以外は、第１実施形態に係る基板ケース４０と基本的な構成は同じであるためその説明を省略し、接続構造について主に説明する。
【００９０】
次に、この接続構造について、第１の実施形態に係る接続構造との違いを中心にして説明する。
【００９１】
第１の実施形態に係る接続構造では、投入口９１が、接合面７２１、８２１のＸ軸方向の中央部の位置に対応して設けられている。この投入口９１から投入された接着剤が、主に、毛細管現象により、接合面７２１、８２１を浸透していき、接着面積を拡大させていた。すなわち、接着面積の拡大は、主に毛細管現象の浸透によっている。
【００９２】
これに対し、第２の実施形態に係る接続構造では、カバー部材５０とトレー部材６０とを組み合わせるときの前作業から後作業に移る前（図４に示す状態）で、第１接続部７１と第２接続部８１とが互いに接し始める位置に対応して投入口９１が設けられる。そして、カバー部材５０とトレー部材６０とを組み合わせるときの後作業と並行して、投入口９１から接着剤を投入する。
【００９３】
先ず、投入口９１が設けられる位置について説明し、その後に、このような位置に対応するように設けられた投入口９１から投入された接着剤が、がどのように接合面７２１、８２１間の隙間に広がるかについて説明する。
【００９４】
（投入口の位置）
第２接続部８１は、張出壁６６１の内面から基板ケース４０の内部側（図１７に示すＸ２方向）に延設されている。第１接続部７１は、張出縁部５８１から基板ケース４０の内部側（図１７に示すＸ２方向）に延設されている。
【００９５】
第１接続部７１及び第２接続部８１は、カバー部材５０とトレー部材６０とを組み合わせるとき、第１接続部７１の基端７１１と、第２接続部８１の先端８１２とが互いに接し始め、第１接続部７１の基端７１１と、第２接続部８１の基端８１１とが相互に近づき、最終的に、第１接続部７１の基端７１１と、第２接続部８１の基端８１１とが接し、第１接続部７１の先端７１２と、第２接続部８１の先端８１２とが接するようになる。
【００９６】
投入口９１は、カバー部材５０とトレー部材６０とを組み合わせるとき、第２接続部８１の先端８１２に接し始める第１接続部７１の基端７１１の位置に対応して設けられる。なお、投入口９１を第２接続部８１の先端８１２の位置に対応して設けても良く、第１接続部７１の基端７１１と第２接続部８１の先端８１２との両方の位置に対応して設けても良い。
【００９７】
（接着剤の広がり）
次に、このような位置に対応するように設けられた投入口９１から接着剤を投入したとき、接着剤がどのように接合面７２１、８２１間の隙間に広がるかついて、説明する。
【００９８】
カバー部材５０とトレー部材６０とを組み合わせる後作業で、カバー部材５０をトレー部材６０に対しＸ１方向に相対移動させ、カバー部材５０側の投入口９１が、第２接続部８１の先端８１２に対応する位置に移動した（図１７に示す組み合わせ直前の状態）とき、すなわち、第１接続部７１の基端７１１と第２接続部８１の先端８１２とが接し始めるときに、投入口９１からの接着剤の投入を開始する。それにより、接着剤が、投入口９１の位置に対応して設けられる第１接続部７１の基端７１１に投入される。
【００９９】
さらに、カバー部材５０をトレー部材６０に対しＸ１方向に相対移動させる（第１接続部７１の基端７１１を第２接続部８１の基端８１１に近づける）と、第１接続部７１の基端７１１に投入される接着剤が、第２接続部８１の先端８１２から基端８１１に向けて広がっていく。さらに、カバー部材５０をトレー部材６０に対しＸ１方向に相対移動させて、第１接続部７１の基端７１１を、第２接続部８１の基端８１１の位置に到達させると、前記第１接続部７１の基端７１１に投入される接着剤が、第２接続部８１の基端８１１まで広がり、接合面７２１、８２１全体に接着面積が拡大する。すなわち、接着面積の拡大は、第１の実施形態が主に毛細管現象による浸透であるのに対し、第２の実施形態では、毛細管現象による浸透もあるが、主に、第１接続部７１と第２接続部との相対的な動きによっている。それにより、毛細管現象によっては浸透しなかった部分まで接着剤を広げることができ、接着面積を拡大することができる。なお、第２の実施形態においても、毛細管現象による浸透が生じることは無論である。
【０１００】
（嵌合部の深さ、嵌入部の長さ）
第２の実施形態では、カバー部材５０とトレー部材６０とを組み合わせるときの後作業で、カバー部材５０をトレー部材６０に対しＸ１方向に相対移動させるとき、第１接続部７１の基端７１１が第２接続部８１に対して相対移動する距離が長いほど、接合面積が広くなり、しいては、接着面積が拡大するため、第２接続部８１の嵌合部８２の溝の深さをできるだけ深く、また、それに嵌入する第１接続部７１の嵌入部７２の長さをできるだけ長くしている。そのため、嵌合部８２の底部を第１実施形態ではＹ軸方向に沿って形成されたリブ部材９２としているのに対し、第２実施形態では、トレー部材６０の外壁である張出壁６６１とし、嵌合部８２の溝を途中で遮るようなリブ部材９２を除去している。
【０１０１】
［第３の実施形態］
次に、第３実施形態に係る基板ケースについて図２１及び図２２を参照して説明する。なお、この実施形態において、基板ケース４０は、その接続構造以外は、第２の実施形態に係る基板ケース４０と基本的な構成は同じであるため、その説明を省略する。
【０１０２】
第１実施形態に係る嵌入部７２の接合面７２１は、平らな面に形成され、嵌合部８２の接合面８２１に対し僅かな隙間をもって対向している。これに対し、第３の実施形態に係る嵌入部７２の接合面７２１は導入溝７３を有している。導入溝７３は、投入口９１に対応する位置に設けられ、その一端が投入口９１に連続し、Ｚ軸に沿って延ばされ、その他端が接合面７２１の下縁（図２１において下側の縁）７２３まで延ばされている。また、嵌合部８２の接合面８２１の上端（図２１において上側の端）には、斜め下方に傾斜させた傾斜部８３が設けられ、投入された接着剤を接合面８２１に投入し易くしている。
【０１０３】
投入口９１に投入された接着剤は、接合面７２１の上縁（図２１において上側の縁）７２２から下縁７２３まで、導入溝７３（Ｚ軸）に沿って充填される。接合面７２１、８２１がわずかな隙間で対向しているため、導入溝７３に沿って充填された接着剤が、嵌合部８２の接合面８２１の上縁（図２１において上側の縁）８２２から下縁（図２１において下側の縁）８２３に塗布される。この塗布された状態で、カバー部材５０をトレー部材６０に対しＸ１方向に相対移動させると、嵌入部７２の接合面７２１全体に接着剤が塗布されるとともに、嵌合部８２の接合面８２１全体に接着剤が塗布される。それにより、接着面積を大幅に広げることができ、接着強さを大きくすることが可能となる。
【０１０４】
［第４の実施形態］
次に、第４の実施形態に係る基板ケースについて図２３を参照して説明する。なお、この実施形態において、基板ケース４０は、その接続構造以外は、第１の実施形態に係る基板ケース４０と基本的な構成は同じであるため、その説明を省略する。
【０１０５】
第１実施形態では、第１接続部７１に板状の嵌入部７２を設け、第２接続部８１に溝形断面形状の嵌合部８２を設けたのに対し、この実施形態では、第１接続部７１に矩形穴断面形状の嵌合部８２を設け、その矩形穴に嵌り込む板状の嵌入部７２を第２接続部８１に設けている。
【０１０６】
また、第１接続部７１に設けた嵌合部８２は、Ｙ軸方向を長手方向、Ｚ軸方向を短手方向とする横長穴に形成されている。嵌合部８２の一部が張出縁部５８１の一部により形成されている。横長穴の内周面が接合面８２１となっている。また、第２接続部８１に設けた嵌入部７２の外周面が接合面７２１となっている。張出縁部５８１はこの発明の「外周部」の一例である。
【０１０７】
張出縁部５８１には、接合面７２１、８２１に接着剤を投入するための投入口９１が設けられている。投入口９１から投入され、接合面７２１、８２１間の隙間に広がった接着剤を図２３に示す。
【０１０８】
なお、前記実施形態では、投入口９１をカバー部材５０の張出縁部５８１に設けたが、投入口９１は、カバー部材５０及びトレー部材６０の少なくとも一方に設けられていれば良い。
【０１０９】
また、カバー部材５０の第１接続部７１及びトレー部材７０の第２接続部８１は、カバー部材５０とトレー部材７０とを組み合わせた状態において互いに接する部位であれば良く、たとえば、第１接続部７１として被係合部５２１を用いても良く、第２接続部８１として係合部６３１を用いても良い。
【０１１０】
さらに、前記実施形態においては、リブ部材９２は、嵌合部８２を補強し、剪断荷重等により接合面７２１、８２１の変形を防止するものであったが、リブ部材９２を張出壁６６１と嵌合部８２との間に設けることで、リブ部材９２が、不正アクセスにより内部に侵入する工具に対する隔壁となり、不正アクセスを防止するという利点もある。
【符号の説明】
【０１１１】
１０…スロットマシン、１１…機本体、１１ａ…後壁、２０…主制御装置、
３０…制御回路基板、３１…コネクタソケット、３２…ＲＯＭ、
４０…基板ケース、５０…カバー部材、
１００…収容空間、
５０１…周縁部、５０２…コネクタ用の開口部、５０３…フランジ、５０４…先端部、
５０５…平坦部、５１…天井部、５１１…透視窓、５１２…底部、５２…側縁部、
５２１…被係合部、５３…下側壁、５４、５５…両側壁、５６…側縁部、
５７、５８…端縁部、５９…上側壁、５７１…連通穴、５７３…穴周縁
５８１…張出縁部
６０…トレー部材、６１…底部、６１４…段差部、６２…周縁部、６３、６４…側縁部、
６３０…案内溝部、６３１…係合部、６３３…溝底部、６３４…係合溝、６３５…溝口、６５、６６…端縁部、６５１…トレー側舌状片、６６１…張出壁
７１…第１接続部、７１１…基端、７１２…先端
７２…嵌入部、７２１…接合面、７３…導入溝
８１…第２接続部、８１１…基端、８１２…先端
８２…嵌合部、８２０…溝壁、８２１…接合面、８２２…上縁、８２３…下縁
８３…傾斜部
９１…投入口
９２…リブ部材
【図１】
0005530297.tif 000002
【図２】
0005530297.tif 000003
【図３】
0005530297.tif 000004
【図４】
0005530297.tif 000005
【図５】
0005530297.tif 000006
【図６】
0005530297.tif 000007
【図７】
0005530297.tif 000008
【図８】
0005530297.tif 000009
【図９】
0005530297.tif 000010
【図１０】
0005530297.tif 000011
【図１１】
0005530297.tif 000012
【図１２】
0005530297.tif 000013
【図１３】
0005530297.tif 000014
【図１４】
0005530297.tif 000015
【図１５】
0005530297.tif 000016
【図１６】
0005530297.tif 000017
【図１７】
0005530297.tif 000018
【図１８】
0005530297.tif 000019
【図１９】
0005530297.tif 000020
【図２０】
0005530297.tif 000021
【図２１】
0005530297.tif 000022
【図２２】
0005530297.tif 000023
【図２３】
0005530297.tif 000024